(57)【要約】      （修正有）【課題】被子植物やシダ植物などの雑草、特に被子植物の双子葉類だけでなく単子葉類の雑草を、簡単な構成で容易かつ効果的に根っこから引き抜くことができる除草刃、この除草刃を備えた除草具、及び除草機を提供する。【解決手段】金属製の板状部材により形成された除草刃１であって、複数の草引き歯５ａ〜５ｇが下辺３ａに沿って配列された刃部３と、刃部３の後端部に連設された柄部４とを備え、相隣接した草引き歯５ａ〜５ｇの間には、草保持用の開口部６が設けられ、草引き歯５ａ〜５ｇは、その正面視において斜め側方を向くように折り曲げられるとともに、その折り曲げ方向が交互に左右逆向きに振り分けられるものである。【選択図】図３
0003216197.tif 000002
【実用新案登録請求の範囲】
【請求項１】
金属製の板状部材により形成された除草刃であって、
複数の草引き歯が下辺に沿って配列された刃部と、該刃部の後端部に連設された柄部とを備え、
相隣接した前記草引き歯の間には、草保持用の開口部が設けられ、
前記草引き歯は、前記刃部の正面視において斜め側方を向くように折り曲げられるとともに、その折り曲げ方向が交互に左右逆向きに振り分けられている除草刃。
【請求項２】
前記刃部は、その側面視の形状が先窄まりに形成されている請求項１記載の除草刃。
【請求項３】
前記刃部の下辺は、前下がりの円弧状に湾曲されている請求項１又は２記載の除草刃。
【請求項４】
前記刃部の下辺に沿って配列された複数の前記草引き歯のうちの、刃部の前部に配設された前記草引き歯の突出量は、前記刃部の後部に配設された前記草引き歯の突出量よりも小さな値に設定されている請求項１〜３のいずれか１項記載の除草刃。
【請求項５】
前記刃部の下辺に沿って設けられた複数の前記開口部のうちの、前記刃部の前部に配設された前記開口部の幅寸法は、前記刃部の後部に配設された前記開口部の幅寸法よりも小さな値に設定されている請求項１〜４のいずれか１項に記載の除草刃。
【請求項６】
前記草引き歯は、前記刃部の下辺から下向きに突設された歯元部と、該歯元部の下端から斜め後方に向けて突設された先窄まり形状の歯先部とを有している請求項１〜５の何れか１項に記載の除草刃。
【請求項７】
前記刃部の下辺に沿って配列された複数の前記草引き歯のうちの、前記刃部の前部に配設された前記草引き歯の前記歯先部の後辺と、前記柄部の中心線と平行に延びる基準線とがなす角度は、前記刃部の後部に配設された前記草引き歯の前記歯先部の後辺と、前記柄部の中心線と平行に延びる基準線とがなす角度よりも小さな値に設定されている請求項６記載の除草刃。
【請求項８】
前記刃部の下辺に沿って配列された複数の前記草引き歯のうちの、前記刃部の前端部に配設された前記草引き歯の前記歯先部の後辺は、前記柄部の中心線と略平行に配置されている請求項６又は７記載の除草刃。
【請求項９】
前記開口部の入り口側部分には、前記開口部の奥側部分に比べて開口幅が小さい幅狭部が設けられている請求項１〜８の何れか１項に記載の除草刃。
【請求項１０】
前記請求項１〜９のいずれか１項に記載の除草刃と、
該除草刃の柄部に設けられた把持部材とを備えている除草具。
【請求項１１】
前記請求項１〜９のいずれか１項に記載の除草刃と、
該除草刃が前後方向に往復動するように、該除草刃を駆動する駆動装置とを備えている除草機。
【考案の詳細な説明】
【技術分野】
【０００１】
本考案は、雑草等をその根っこから効率よく引き抜くことができる除草刃、この除草刃を備えた除草具、及び除草機に関する。
【背景技術】
【０００２】
従来、家の庭等に生えた雑草を除去するための除草具（草取り具）として、把持部と、この把持部にその刃元部が固着された刃部とを有し、草引き方向に対して鈍角方向に後方側に開口している複数の凹部と、この凹部を挟んで隣接する複数の凸部とを有する草抉摘部を前記刃部の先端部分の側部に設けたものが知られている（例えば、特許文献１参照。）。
【０００３】
また、雑草等を土中の根ごと除去するための除草具として、把持部の一端に、互いの板厚方向に略平行に伸びる２枚の刃部が保持され、これらの各刃部には、それぞれ同じ向きの側縁に、当該側縁を凹凸に形成してなる歯列が形成されたものが知られている（例えば、特許文献２参照。）。
【先行技術文献】
【特許文献】
【０００４】
【特許文献１】特開２００７−１３５５０８号公報
【特許文献２】実用新案登録第３１４１１５４号公報
【考案の概要】
【考案が解決しようとする課題】
【０００５】
上述の特許文献１に開示された除草具では、その刃部を土中に突き刺してから、土中内において刃部を移動させ、相隣接する凸部の間に雑草の根を引っ掛けて、雑草を除去するものであるため、一本の主根を有する双子葉類の雑草を効率よく除去することが可能である。しかし、多数のひげ根を有する単子葉類の雑草では、前記凸部とひげ根との絡みつきが弱いため、これを容易に引き抜くことができないという問題があった。
【０００６】
一方、上述の特許文献２に開示された除草具では、歯列が形成された互いに略平行な２枚の刃部を有しているため、略平行な２本の歯列に雑草の根を同時に引っ掛けて絡ませた状態で効果的に引き抜くことが可能であるため、多数のひげ根を有する単子葉類の雑草であっても、これを引き抜くことが可能である。しかし、略平行な２枚の刃部を設ける必要があるため、構造が複雑で、製作コストが高くなるという問題がある。また、雑草の根が密集して生えた土壌や、固い地面の除草を行う場合に、前記２枚の刃部を土中に同時に突き刺すときの抵抗が大きくなり、効率よく除草作業を行うことはできなかった。
【０００７】
本考案の目的は、被子植物やシダ植物などの雑草、特に被子植物の双子葉類だけでなく単子葉類の雑草を、簡単な構成で容易かつ効果的に根っこから引き抜くことができる除草刃、この除草刃を備えた除草具、及び除草機を提供することである。
【課題を解決するための手段】
【０００８】
本考案は、以下の考案を包含する。
（１）  金属製の板状部材により形成された除草刃であって、複数の草引き歯が下辺に沿って配列された刃部と、該刃部の後端部に連設された板状の柄部とを備え、相隣接した前記草引き歯の間には、草保持用の開口部が設けられ、前記草引き歯は、前記刃部の正面視において斜め側方を向くように折り曲げられるとともに、その折り曲げ方向が交互に左右逆向きに振り分けられている除草刃。
【０００９】
この構成によれば、例えば雑草の根の前側に刃部が挿入されるように土中に刃部を挿入し、次に該刃部を後方側（手前側）へ引き寄せることで、草引き歯を雑草の根に引っ掛けて、被子植物やシダ植物などの雑草をその根っこから引き抜くことができる。また、草引き歯が、交互に左右逆向きに斜め側方へ折り曲げられて、刃部の左右両側へ突出されているので、単子葉類の雑草を除去する場合において、草引き歯を雑草のひげ根に効率的に絡ませることができ、雑草をひげ根から効率的に引き抜いて除去することができる。このため、簡単な構成で、被子植物やシダ植物などの雑草、特に被子植物の双子葉類だけでなく単子葉類の雑草を、その根っこから効率よく引き抜くことができる。
【００１０】
（２）  前記刃部は、その側面視の形状が先窄まりに形成されている前記（１）に記載の除草刃。
この構成によれば、複数の草引き歯を有する刃部の前端部を土中に突き刺す際の抵抗を効果的に低減して、土中内に除草刃の刃先部をスムーズに突き入れることができる。
【００１１】
（３）  前記刃部の下辺は、前下がりの円弧状に湾曲されている前記（１）又は（２）記載の除草刃。
この構成によれば、密集状態で広範囲に生えている雑草の根等を、前記円弧状の下辺によりまとめて、これを効率よく引き抜くことができるという利点がある。
【００１２】
（４）  前記刃部の下辺に沿って配列された複数の前記草引き歯のうちの、刃部の前部に配設された前記草引き歯の突出量は、前記刃部の後部に配設された前記草引き歯の突出量よりも小さな値に設定されている前記（１）〜（３）のいずれかに記載の除草刃。
この構成によれば、除草刃の刃先部を土中に突き刺す際の抵抗を効果的に低減することが可能であり、除草刃の刃先部を土中に軽い力で突き刺すことができるという利点がある。また、引き抜こうとする雑草の地下茎及び根の直径が細い場合には、刃部の前部に配設された突出量の小さい草引き歯を利用して、前記雑草の根等を容易に引き抜くことができる。一方、引き抜こうとする雑草の地下茎及び根の直径が太い場合には、刃部の後部に配設された突出量の大きい草引き歯を利用して、前記雑草の根等を確実に引き抜くことができるという利点がある。
【００１３】
（５）  前記刃部の下辺に沿って設けられた複数の前記開口部のうちの、前記刃部の前部に配設された前記開口部の幅寸法は、前記刃部の後部に配設された前記開口部の幅寸法よりも小さな値に設定されている前記（１）〜（４）のいずれかに記載の除草刃。
この構成によれば、雑草の地下茎及び根の直径が細い場合には、刃部の前部に配設された幅寸法の狭い開口部内に、前記雑草の根等を案内して保持させることにより、これを効率よく引き抜くことができる。一方、雑草の地下茎及び根の直径が太い場合には、刃部の後部に配設された幅寸法の広い開口部内に、前記雑草の根等を案内して保持させることにより、これを容易に引き抜くことができる。
【００１４】
（６）  前記草引き歯は、前記刃部の下辺から下向きに突設された歯元部と、該歯元部の下端から斜め後方に向けて突設された先窄まり形状の歯先部とを有している前記（１）〜（５）の何れかに記載の除草刃。
この構成によれば、雑草が密集状態で生えている場合であっても、雑草の根等間に各草引き歯の歯先部を容易に進入させることができるとともに、前記雑草の根等を、開口部の奥側に順次案内して保持させた状態で、これを効率よく引き抜くことができる。また、草引き歯が、斜め後方へ向けて刃部から離間するように傾斜状に配置されるので、刃部を土中に突き刺すときの抵抗を一層低減できる。
【００１５】
（７）前記刃部の下辺に沿って配列された複数の前記草引き歯のうちの、前記刃部の前部に配設された前記草引き歯の前記歯先部の後辺と、前記柄部の中心線と平行に延びる基準線とがなす角度は、前記刃部の後部に配設された前記草引き歯の前記歯先部の後辺と、前記柄部の中心線と平行に延びる基準線とがなす角度よりも小さな値に設定されている前記（６）に記載の除草刃。
この構成によれば、直径が細い雑草の地下茎及び根を引き抜く場合には、除草刃の刃先部を土中に進入させ、かつ刃部の前部に配設された草引き歯の歯先部の後辺を地面と略平行に向けた状態で、刃部を後方に移動させることにより、前記雑草の根等を効果的に引き抜くことができる。一方、直径が太い雑草の地下茎及び根を引き抜く場合には、除草刃の刃部を土中の深い位置に進入させ、かつ刃部の後部に配設された草引き歯の歯先部の後辺を地面と略平行に向けた状態で、刃部を後方に移動させることにより、前記雑草の根等を効果的に引き抜くことができる。
【００１６】
（８）  前記刃部の下辺に沿って配列された複数の前記草引き歯のうちの、前記刃部の前端部に配設された前記草引き歯の前記歯先部の後辺は、前記柄部の中心線と略平行に配置されている前記（６）又は（７）に記載の除草刃。
この構成によれば、除草刃の柄部及び把持部材を地面と略平行に向けた状態で、刃部を後方に移動させることにより、刃先部に位置する草引き歯に雑草の根等を絡ませて、これを効果的に引き抜くことができる。
【００１７】
（９）  また、開口部の入り口側部分には、前記開口部の奥側部分に比べて開口幅が小さい幅狭部が設けられている前記（１）〜（８）の何れかに記載の除草刃。
この構成によれば、前記開口部内の入り口部分からその奥側に案内されて保持された雑草の根等が、開口部外に脱落するのを前記幅狭部により効果的に阻止することができるため、土中深く根を張った雑草の根等を確実に引き抜くことができるという利点がある。
【００１８】
（１０）  前記（１）〜（９）のいずれかに記載の除草刃と、該除草刃の柄部に設けられた把持部材とを備えている除草具。
この構成によれば、作業者が把持部材を把持した状態で、土中に突き刺した除草刃の刃部を後方に引っ張ることにより、簡単な構成で雑草の地下茎等が途中で断ち切られるのを防止しつつ、これを効果的に引き抜くことができる。
【００１９】
（１１）  前記（１）〜（９）のいずれかに記載の除草刃と、該除草刃が前後方向に往復動するように、該除草刃を駆動する駆動装置とを備えている除草機。
この構成によれば、除草刃の刃部を地面に突き刺して駆動装置を作動させるだけで、土壌を連続的に掘り起こして、雑草等を効率よく引き抜くことができるという利点がある。
【考案の効果】
【００２０】
本考案に係る除草刃、この除草刃を備えた除草具、及び除草機によれば、被子植物やシダ植物などの雑草、特に被子植物の双子葉類だけでなく単子葉類の雑草を、簡単な構成で容易かつ効果的に根っこから引き抜くことができる。
【図面の簡単な説明】
【００２１】
【図１】本考案の第一実施形態に係る除草刃を備えた除草具の斜視図である。
【図２】除草具の具体的構造を示す縦断側面図である。
【図３】除草刃に設けられた刃部の具体的構造を示す側面図である。
【図４】除草具の正面図である。
【図５】除草具の底面図である。
【図６】除草具の使用状態を示す側面図である。
【図７】除草具の使用状態を示す正面図である。
【図８】刃部を土中に深く突き刺した状態を示す側面図である。
【図９】本考案の第二実施形態に係る除草刃を備えた除草機の斜視図である。
【図１０】除草機の内部構造を示す断面図である。
【図１１】除草刃の具体的構造を示す斜視図である。
【図１２】除草刃の具体的構造を示す底面図である。
【図１３】除草機の使用状態を示す側面図である。
【考案を実施するための形態】
【００２２】
以下、本考案の実施の形態について図面を参照しながら説明する。なお、各図において同一の符号を付した構成は、同一の構成であることを示し、その説明を省略する。
【００２３】
（第一実施形態）
図１は、本考案の第一実施形態に係る除草刃１を備えた除草具１０の斜視図、図２は、除草具１０の具体的構成を示す縦断側面図、図３は、除草刃１に設けられた刃部３の具体的構造を示す側面図、図４は、除草具１０の正面図、図５は、除草具１０の底面図、図６は、除草具１０の使用状態を示す側面図、図７は、除草具１０の使用状態を示す正面図、図８は、刃部３を土中に深く突き刺した状態を示す側面図である。
【００２４】
除草具１０は、所定の強度を有するステンレス鋼板等からなる金属製の板状部材により形成された除草刃１と、除草刃１を操作するための把持部材２とを備えている。除草刃１は、複数の草引き歯５を備えた刃部３と、この刃部３の後端部に連設された柄部４とを備え、柄部４の後部は把持部材２内に埋設状に設けられ、これにより除草刃１と把持部材２とは一体的に結合されている。
【００２５】
刃部３は、前後方向に細長い平板状に構成され、刃部３の側面視の形状は先窄まりに形成されている。また、刃部３の下辺３ａ及び上辺３ｂは、それぞれ柄部４の前端から前下がりの円弧状に湾曲され、これにより刃部３が先窄まりの三日月形に形成されている。
【００２６】
除草刃１の刃部３には、その下辺３ａ沿って複数の草引き歯５が前後に間隔をあけて配列されるとともに、相隣接する草引き歯５間には、草保持用の開口部６が形成されている。各草引き歯５は、刃部３の下辺３ａから下向きに突設された台形状の歯元部５１と、この歯元部５１の下端から一定角度で斜め後方に向けて突設された先窄まりの三角形状の歯先部５２とを有している。ただし、歯元部５１と歯先部５２とは、全体的に後方に向けて直線状或いは円弧状に突設された先窄まりの形状に形成することもできる。
【００２７】
そして、各草引き歯５は、刃部３の正面視において一定角度で斜め側方を向くように折り曲げられるとともに、その折り曲げ方向が交互に左右逆向きに振り分けられ、刃部３の左右両側へ突出するように形成されている（図４及び図５参照）。これにより、各草引き歯５は、その正面視及び底面視において、例えば５ｍｍから１０ｍｍの拡がり幅Ｗをもって配列されている（図４及び図５参照）。
【００２８】
図３に示すように、刃部３の下辺３ａに沿って配列された複数の草引き歯５のうちの、刃部３の前部に配設された草引き歯５の突出量、つまり歯元部５１の上下寸法と、歯先部５２の斜め後方側へ突出量との合計寸法は、刃部３の後部に配設された草引き歯５の突出量よりも小さな値になるように設定されている。すなわち、当実施形態では、刃部３の最前端に位置する草引き歯５ａの突出量が最も小さな値に設定され、刃部３の後部に位置するものほど草引き歯５の突出量が次第に大きくなるように構成されている。そして、刃部３の最後端に位置する草引き歯５ｇの突出量が最も大きな値に設定されている。
【００２９】
また、刃部３の下辺３ａに沿って設けられた複数の開口部６のうちの、刃部３の前部に配設された前記草保持用の開口部６の幅寸法、つまり相隣接する草引き歯５の設置間隔は、刃部３の後部に配設された草保持用の開口部６の幅寸法に比べて小さな値に設定されている。
【００３０】
例えば、刃部３の最前端に位置する草引き歯５ａの歯元部５１と、その後方に位置する草引き歯５ｂの歯元部５１との間に設けられた開口部６の幅寸法Ｐ１は、約２ｍｍに設定されている。また、刃部３の最前端から数えて４番目に位置する草引き歯５ｄの歯元部５１と、その後方に位置する草引き歯５ｅの歯元部５１との間に設けられた開口部６の幅寸法Ｐ２は、約３ｍｍに設定されている。さらに、刃部３の最前端から数えて６番目に位置する草引き歯５ｆの歯元部５１と、刃部３の最後端に位置する草引き歯５ｇの歯元部５１との間に設けられた開口部６の幅寸法Ｐ３は、約３．４ｍｍに設定されている。
【００３１】
このように上述の実施形態では、刃部３の最前端に位置する開口部６の幅寸法Ｐ１が最も小さな値に設定され、刃部３の後端側に至るほど開口部６の幅寸法が次第に大きくなるように構成されている。そして、刃部３の最後端に位置する開口部６の幅寸法Ｐ３が最も大きい値に設定されている。
【００３２】
刃部３の下辺３ａに沿って配列された複数の草引き歯５のうちの、刃部３の前部に配設された草引き歯５の歯先部５２の後辺と、柄部４の中心線Ｋと平行に延びる基準線とがなす角度は、刃部３の後部に配設された草引き歯５の歯先部５２の後辺と、柄部４の中心線Ｋと平行に延びる基準線とがなす角度よりも小さな値に設定されている。
【００３３】
例えば、図３に示すように、刃部３の最前端に位置する草引き歯５ａの歯先部５２の後辺５２ａと、柄部４の中心線Ｋと平行に延びる基準線Ｋａとがなす角度なす角度θａは、約３°に設定されている。また、刃部３の最前端から数えて４番目に位置する草引き歯５ｄの歯先部５２の後辺５２ｄと、柄部４の中心線と平行に延びる基準線Ｋｄとがなす角度θｄは、約１１°に設定されている。さらに、刃部３の最後端に位置する草引き歯５ｇの歯先部５２の後辺５２ｇと、柄部４の中心線Ｋと平行に延びる基準線Ｋｇとがなす角度θｇは、約３１°に設定されている。
【００３４】
このように当実施形態では、刃部３の最前端に配設された草引き歯５ａの歯先部５２の後辺５２ａと、柄部４の中心線Ｋと平行に延びる基準線Ｋａとがなす角度θａが最も小さな値に設定されている。そして、刃部３の後端側に至るほど各草引き歯５の歯先部５２の後辺と、柄部４の中心線Ｋと平行に延びる基準線とがなす角度が次第に大きくなるように構成されている。これにより、刃部３の最後端に配設された草引き歯５ｇの歯先部５２の後辺５２ｇと、柄部４の中心線Ｋと平行に延びる基準線Ｋｇとがなす角度θｇが最も大きな値に設定されている。
【００３５】
さらに、相隣接する草引き歯５の間に形成された前記開口部６の入り口側部分には、この開口部６の奥側部分に比べて幅寸法が小さい幅狭部Ｑが設けられている。例えば、図３に示すように、刃部３の最前端から六番目に位置する草引き歯５ｆの歯先部５２が、刃部３の最後端に位置する草引き歯５ｇに接近するように配設される等により、相隣接する草引き歯５ｆ，５ｇに設けられた開口部６の入り口側部分に、その奥側部分に比べて幅寸法が小さくなった幅狭部Ｑが形成されている。
【００３６】
また、柄部４の後部には、図２に示すように、合成樹脂製の把持部材２が一体に設けられている。例えば、柄部４の後端部に形成された埋設部４１が把持部材成形用の金型内に挿入された状態で、これらが一体的にインサート成形される等により、除草刃１と把持部材２とを備えた除草具１０が構成される。なお、木製又は金属製の把持部材２が、ボルト止め等の手段で、柄部４の後部に着脱可能に取り付けられた構成としてもよい。
【００３７】
上述の構成を有する除草刃１と、柄部４に設けられた把持部材２とを備えた除草具１０を使用して除草作業を行うには、例えば作業者が除草具１０の把持部材２を把持した状態で、図６に示すように、除去しようとする雑草Ｓの根元の側方の地面Ｊに、刃先部が雑草Ｓの根の前方へ回り込むように、除草刃１の刃先部を斜めに突き刺す。そして、除草具１０を後方（作業者側）に引っ張るように力を加えることにより、相隣接する草引き歯５間に形成された草保持用の開口部６内に、雑草Ｓの地下茎及び根を導入して、草引き歯５と雑草Ｓの根等とを絡みつかせた状態で、これを土中から引き抜くようにする。
【００３８】
この際に、雑草Ｓの地下茎又は根が、相離接する草引き歯５間の開口部６外に脱落したり、大きな引っ張り力を受けて断ち切られたりすることを防止して、雑草Ｓの根等を土中から容易かつ効果的に引き抜くことができる。
【００３９】
すなわち、各草引き歯５は、刃部３の正面視において斜め側方を向くように折り曲げられるとともに、草引き歯５の折り曲げ方向が交互に左右逆向きとなるように振り分けられることにより、所定の拡がり幅Ｗをもって配列されている。この結果、除草時に各草引き歯５を、雑草Ｓの地下茎又は根の所定範囲、つまり前記拡がり幅Ｗに対応した範囲に亘って、各草引き歯５を雑草Ｓの根等に効率的に絡まらせることができ、簡単な構成で草保持用の開口部６外に雑草Ｓの根等が脱落するのを効果的に防止して、これを効率よく引き抜くことができる。
【００４０】
したがって、被子植物やシダ植物などの雑草、特に被子植物の双子葉類の雑草Ｓだけでなく、多数のひげ根を有する単子葉類の雑草Ｓを、そのひげ根が途中で断ち切られることなく土中から効率よく引き抜くことが可能となる。しかも、特許文献２のように複数枚の刃部を設ける必要がないので、除草刃１及び除草具１０の構造を簡略化できるとともに、多くの雑草Ｓの根が密集した土壌や、固い地面Ｊに対しても、除草刃１の刃先部を容易に突き刺すことができるという利点がある。
【００４１】
なお、本考案に係る除草刃１及び除草具１０を使用して、より効率よく雑草Ｓの根を土中から引き抜くためには、図６に示すように、除草具１０の側面視において、把持部材２及び柄部４を、例えば約１０°の角度をもって前下がり状態に傾斜させるとともに、図７に示すように、除草具１０の正面視において、刃部３及び柄部４を、例えば約４５°の角度に傾斜させた状態とすることが好ましい。これにより、各草引き歯５を雑草Ｓの地下茎又は根の広範囲に効果的に絡みつかせて、雑草Ｓの根等を効率よく引き抜くことができる。
【００４２】
また、上述の実施形態では、刃部３の側面視形状を先窄まりに形成したため、複数の草引き歯５を有する刃部３の前端部を土中に突き刺す際の抵抗を効果的に低減して、土中内に除草刃１の刃先部をスムーズに突き入れることができる。そして、土中内に突き入れた刃部３の下辺３ａに配列された各草引き歯５を雑草Ｓの地下茎又は根にそれぞれ押し当てて絡みつかせた状態で、雑草Ｓの根等を効率よく後方に引き寄せることにより、確実に引き抜くことができる。
【００４３】
特に、上述の実施形態に示すように、複数の草引き歯５が設けられた刃部３の下辺３ａを前下がりの円弧状に湾曲させた構成によれば、密集状態で広範囲に生えている多くの雑草Ｓの根等を、前記円弧状の下辺３ａによりまとめて効率よく引き抜くことができるという利点がある。
【００４４】
なお、刃部３の下辺３ａに沿って配列された各草引き歯５の突出量を略等しくし、あるいは刃部３の前部、つまり刃先側に配設された草引き歯５ａ，５ｂ等の突出量を刃部３の後部、つまり刃元側に配設された草引き歯５ｆ，５ｇ等の突出量よりも大きな値に設定することも可能である。しかし、この構成では、除草刃１の刃先部を土中に突き刺す際の抵抗が大きくなるため、除草時に大きな力が必要となる。
【００４５】
これに対して、上述のように刃部３の下辺３ａに沿って配列された複数の草引き歯５のうち、刃部３の前部に配設された草引き歯５ａ，５ｂ等の突出量を刃部３の後部に配設された草引き歯５ｆ，５ｇ等の突出量よりも小さな値に設定した場合には、除草刃１の刃先部を土中に突き刺す際の抵抗を効果的に低減することが可能であり、除草刃１の刃先部を土中に軽い力で突き入れることができる。
【００４６】
そして、引き抜こうとする雑草Ｓの地下茎及び根の直径が細い場合には、刃部３の前部に位置する突出量の小さい草引き歯５ａ，５ｂ等を利用して、前記雑草Ｓの根等を容易に引き抜くことができる。一方、引き抜こうとする雑草Ｓの地下茎及び根の直径が太い場合には、刃部３の後部に位置する突出量の大きい草引き歯５ｆ，５ｇ等を利用して、前記雑草Ｓの根等を確実に引き抜くことができる。
【００４７】
特に、上述の実施形態では、刃部３の下辺３ａに沿って配列された複数の草引き歯５のうち、刃部３の前部に配設された前記開口部６の幅寸法を、刃部３の後部に配設された開口部６の幅寸法よりも小さな値に設定したため、雑草Ｓの地下茎及び根の直径が細い場合には、刃部３の前部に位置する幅寸法の狭い開口部６内に前記雑草Ｓの根等を案内して保持させることにより、これを効率よく引き抜くことができる。一方、雑草Ｓの地下茎及び根の直径が太い場合には、刃部３の後部に位置する幅寸法の広い開口部６内に、前記雑草Ｓの根等を案内して保持させることにより、これを容易に引き抜くことができる。
【００４８】
なお、上述の実施形態では、各草引き歯５が、刃部３の下辺３ａから下向きに突設された台形状の歯元部５１と、この歯元部５１の下端から斜め後方に向けて突設された先窄まり形状の歯先部５２とを有しているが、この構成に代え、各草引き歯の全体を、先窄まりの三角形状若しくは台形状に形成し、又は一定の幅寸法を有する矩形状に形成することも可能である。
【００４９】
しかし、上述の実施形態に示すように、刃部３の下辺３ａから下方に向けて突設された歯元部５１の下端から斜め後方に向けて突設された先窄まり形状の歯先部５２を設けた構成とした場合には、雑草Ｓが密集状態で生えている場合であっても、雑草の根等間に、各草引き歯５の歯先部５２を容易に進入させることができる。そして、雑草Ｓの地下茎又は根を、前記歯先部５２から開口部６の奥側へと順次案内して保持させた状態で、これを効率よく引き抜くことができる。
また、上述のように刃部３の下辺３ａに沿って配列された複数の草引き歯５のうちの、刃部３の前部に配設された草引き歯５の歯先部５２の後辺と柄部４の中心線Ｋと平行に延びる基準線とがなす角度を、刃部３の後部に配設された草引き歯５の歯先部５２の後辺と柄部４の中心線Ｋと平行に延びる基準線とがなす角度よりも小さな値に設定した場合には、地下茎及び根の直径が細い雑草Ｓと、地下茎及び根の直径が太い雑草Ｓとをそれぞれ適正に引き抜くことができるという利点がある。
【００５０】
すなわち、除草具１０により地下茎及び根の直径が細い雑草を引き抜く場合には、図６に示すように、除草刃１の刃先部だけを土中に突き刺すとともに、地面Ｊに対する除草刃１の柄部４及び把持部材２の傾斜角度を小さくすることにより、刃部３の前部に位置する草引き歯５ａ，５ｂ等の歯先部５２の後辺を地面と略平行に向けた状態とすることができる。そして、刃部３を後方に移動させることにより、刃部３の前部に位置する草引き歯５に雑草Ｓの根等を絡ませた状態で、これを効果的に引き抜くことができる。
【００５１】
特に、上述のように刃部３の下辺３ａに沿って配列された複数の草引き歯５のうちの、刃部３の前端部に配設された草引き歯５ａの歯先部５２の後辺が、柄部４の中心線Ｋと略平行に配置された構成によれば、除草刃１の柄部４及び把持部材２を地面Ｊと略平行に向けた状態で、刃部３を後方に移動させることにより、刃先部に位置する草引き歯５ａに雑草Ｓの根等を絡ませて、これを効果的に引き抜くことができる。
【００５２】
一方、地下茎及び根の直径が太い雑草Ｓを引き抜く場合には、図８に示すように、刃部３の略全体を土中に突き入れ、かつ地面Ｊに対する除草刃１の柄部４及び把持部材２の傾斜角度を、前記図６に示す状態よりも大きくすることにより、把持部材２と地面Ｊとの間に十分な間隔を有する区間Ｈを確保しつつ、刃部３の後部に位置する草引き歯５ｆ，５ｇ等の歯先部５２の後辺を地面と略平行に向けることができる。そして、刃部３を後方に移動させることにより、刃部３の後部に位置する草引き歯５に雑草Ｓの根等を絡ませた状態で、これを効果的に引き抜くことができる。
【００５３】
上述の実施形態では、図３に示すように、相隣接する草引き歯５間に形成された開口部６の入り口側部分に、この開口部６の奥側部分に比べて幅寸法が小さい幅狭部Ｑを設けている。この構成によれば、開口部６の入り口部分からその奥側に案内されて保持された雑草Ｓの根等が、開口部６外に脱落するのを幅狭部Ｑにより効果的に阻止することができるため、土中深く根を張った雑草Ｓの根等を確実に引き抜くことができるという利点がある。
【００５４】
（第二実施形態）
図９は、本考案の第二実施形態に係る除草刃１１を備えた除草機１００の側面図、図１０は、除草機１００の内部構造を示す断面図、図１１は、除草刃１１の具体的構造を示す斜視図、図１２は、除草刃１１の具体的構造を示す底面図、図１３は、除草機１００の使用状態を示す側面図である。
【００５５】
除草機１００は、複数の草引き歯５が下辺３ａに沿って配列された刃部３とその刃部３の後端部に連設された板状の柄部４とを有する除草刃１１と、この除草刃１１が前後方向に往復動するように、この除草刃１１を駆動する駆動装置７とを備えている。
【００５６】
第二実施形態に係る除草刃１１は、図１１及び図１２に示すように、柄部４の中間部を約９０°捩じるように変形させた捩じり部４３が設けられている点と、その柄部４の後端部に、後述する駆動装置７の固定部２５に着脱可能に取り付けられる取付部９が設けられている点とを除いて、上述の第一実施形態に係る除草刃１と同様に構成されている。
【００５７】
除草刃１１の取付部９には、駆動装置７の固定部２５に突設された拘束ピン２６に外嵌される挿通孔１２と、固定ボルト２７及び押え板２８により固定部２５に係止される係止部１３とが設けられている。
【００５８】
駆動装置７は、図１０に示すように、回転駆動軸を有する電動モータ１４と、その回転速度を減速する減速機構１５と、その回転運動を前後方向の往復運動に変換する動力変換部１６と、外部電源に接続されて、電動モータ１４に駆動電力を供給する電源コード３８とを備えている。駆動装置７の主要部である電動モータ１４、減速機構１５及び動力変換部１６は、駆動装置７の本体ケース１８内に収容されている。ただし、電源コード３８に代えて二次電池からなる電池１７を設け、外部電源により電池１７を充電可能に構成することもできる。
【００５９】
駆動装置７の動力変換部１６は、電動モータ１４から減速機構１５を介して伝達された駆動力に応じて回動される回転軸２１と、この回転軸２１と一体に回転する楕円環状のカム部材２２と、このカム部材２２により駆動されて前後方向に往復動する摺動板２３とを有している。カム部材２２は、回転軸２１の軸心に対して所定角度で傾斜した状態で設けられている。
【００６０】
なお、動力変換部１６としては、電動モータ１４の回転運動を摺動板２３の往復直線運動に変換し得る構成のものであれば、上述した以外の任意の構成の動力変換部、例えばクランク機構等を用いた動力変換部を採用することも可能である。
【００６１】
摺動板２３は、本体ケース１８に回動不能かつ摺動可能に支持されている。また、摺動板２３には、カム部材２２の前後両面に当接する一対のカムフォロア２４，２４が設けられている。このカムフォロア２４，２４が、カム部材２２の回転に伴って図１０の実線で示す後方位置から、前方側に押動されることにより、前記摺動板２３が、図１０の実線で示す後方位置と図１０の仮想線で示す前方位置との間を、往復駆動されるように構成されている。
【００６２】
摺動板２３の前端部には、本体ケース１８の前方側に突出した固定部２５が設けられ、この固定部２５に除草刃１１の取付部９が着脱可能に取り付けられている。この固定部２５には、除草刃１１の取付部９に設けられた挿通孔１２に挿入される拘束ピン２６と、六角穴付きボルト等からなる固定ボルト２７が螺着されるねじ穴とが設けられている。
【００６３】
そして、除草刃１１の挿通孔１２が拘束ピン２６に外嵌されるとともに、その上方に押え板２８が配設された状態で、固定ボルト２７が固定部２５のねじ穴に螺着されることにより、除草刃１１の取付部９が摺動板２３の固定部２５に対して着脱可能に固定される。このように除草刃１１の取付部９を摺動板２３の固定部２５に取り付けた状態で、前記電動モータ１４を作動させると、除草刃１１が所定速度で前後移動するように構成されている。
【００６４】
除草刃１１の前後移動の速度は、特に限定されないが、速すぎると除草作業時の作動抵抗が大きくなって、遅すぎると作業効率が悪くなるため、例えば１分間当たりに２０００回〜５０００回程度の往復移動とすることが望ましい。また、除草刃１１の前後方向の移動距離Ｌも、特に限定されないが、長すぎると除草作業時の作動抵抗が大きくなり、短すぎると作業効率が悪くなるため、５ｍｍ〜２０ｍｍの範囲内で、例えば１０ｍｍ程度とすることが好ましい。
【００６５】
前記本体ケース１８の上部には、使用者により把持される操作ハンドル３１が設けられている。この操作ハンドル３１は、本体ケース１８の前部上面から上方側に延びる起立部３２と、この起立部３２の上端から湾曲しつつ後部下方側に延びる円弧状部３３と、起立部３２の上端から前方側に延びる補助グリップ３４とを有している。
【００６６】
操作ハンドル３１の起立部３２は、上端ほど後方に位置するように傾斜した筒状に形成されている。また、電池１７を設ける場合には、起立部３２内に電池１７を配置させることが好ましい。なお、起立部３２を必ずしも上述のように傾斜させる必要はなく、本体ケース１８の上面から真っ直ぐに上方側へ突設してもよく、あるいは逆に上端ほど前方に位置するように傾斜させた構造としてもよい。
【００６７】
操作ハンドル３１の円弧状部３３は、前記起立部３２の上端から所定の曲率で湾曲しつつ後部下方側に延びるように形成され、その後端部が本体ケース１８の後部上面に一体に接続されている。また、円弧状部３３は、その断面が例えば六角形状に形成された筒状体からなり、その前部上面には、電動モータ１４の操作スイッチ３５と、安全ロックスイッチ３６とが配設されている。この安全ロックスイッチ３６は、これを押し操作しながら前記操作スイッチ３５をオン操作すると、そのオン状態が保持され、かつ安全ロックスイッチ３６を再度押し操作すると、前記操作スイッチ３５をオフ状態に復帰させる従来周知の機能を有している。
【００６８】
操作ハンドル３１の補助グリップ３４は、図９に示すように、平面視で左右に突出した突出部３７，３７を有している。使用者が、例えば利き手で操作ハンドル３１の円弧状部３３を把持した場合に、他方の手で前記補助グリップ３４を把持する等により、除草機１００を両手で操作し得るように構成されている（図１３参照）。
【００６９】
さらに、本体ケース１８の後端部には、電動モータ１４に駆動電力を供給する電源コード３８が設けられている。
【００７０】
上述の構成を有する除草機１００を使用して雑草Ｓを除去するには、例えば電源コード３８を図外の延長コードにより外部のＡＣ電源に接続した状態で、操作ハンドル３１の円弧状部３３及び補助グリップ３４を把持し、操作スイッチ３５をオン操作して、駆動装置７の電動モータ１４を作動させ、除草刃１１を摺動板２３とともに、所定速度で前後方向に往復動させる。
【００７１】
こうして、除草刃１１を往復動させながら、図１３に示すように、除草刃１１の刃部３を、除去しようとする雑草Ｓよりも前方側の地面に突き刺して、除草機１００を後方側へ徐々に移動させことで、刃部３の草引き歯５により土壌が連続的に掘り起こされるとともに、雑草Ｓが順次引き抜かれることになる。
【００７２】
上述のように本考案に係る除草機１００は、複数の草引き歯５が下辺３ａに沿って配列された刃部３及び柄部４を有する除草刃１１と、この除草刃１１を前後方向に往復動させるように駆動する駆動装置７とを備えているため、除草刃１１の刃部３を地面に突き刺して駆動装置７を作動させるだけで、土壌を連続的に掘り起こして、雑草Ｓを効率よく引き抜くことができるという利点がある。
【００７３】
すなわち、除去しようとする雑草Ｓよりも前方側の地面に突き刺された除草刃１１の草引き歯５を、駆動装置７により連続的に前後移動させることにより、草引き歯５に雑草Ｓの根等を絡ませて駆動装置７側に引き寄せる方向の力を断続的に作用させることができる。したがって、除草刃１１の草引き歯５によって雑草Ｓの地下茎又は根等が途中で切断されるのを効果的に抑制し、地中に深く伸びる雑草Ｓの根等を効率よく引き抜くことができる。
【００７４】
また、回転刃を用いた一般的な草刈り機（刈払機）を使用した場合のように、小石や砂利等が弾き飛ばされることがないため、砂利混じりの土壌においても安全に使用可能である。さらに、除草剤を使用した場合のように土壌が汚染されることがないため、環境保全の面でも優れている。
【００７５】
第二実施形態では、除草刃１１の柄部４が着脱可能に取り付けられる固定部２５を駆動装置７、具体的には動力変換部１６の摺動板２３に設けたため、必要に応じて駆動装置７から除草刃１１を取り外して、その修理及び交換等を容易に行うことができる。なお、前記固定ボルト２７及び押え板２８を備えた固定部２５に代え、電気ドリルのようなチャック式の固定部を駆動装置７に設けた構造としてもよい。
【００７６】
さらに、上述の第二実施形態では、駆動装置７が本体ケース１８と、その上部に設けられた操作ハンドル３１を備えた構造としたため、地面から離れた位置に配設される操作ハンドル３１を作業者が把持することにより、安全かつ楽な姿勢で除草作業を効率よく行うことができる。しかも、前記本体ケース１８内に重量物である電動モータ１４等を収容して、除草機１００の重心をその下方に位置させることにより、前記草引き歯５を地面に突き刺す操作を容易に行うことができるという利点がある。
【００７７】
また、操作ハンドル３１に、本体ケース１８の前部上面から上方側に延びる起立部３２と、この起立部３２の上端から湾曲しつつ後部下方側に延びる円弧状部３３とを設けた構造とした場合には、作業者の体格または作業場の環境等に応じて円弧状部３３の把持位置を変化させることで駆動装置７の姿勢を容易に変えることができる。
【００７８】
例えば、前記円弧状部３３の後部を把持して駆動装置７の後端側を持ち上げるようにすれば、駆動装置７の重心を把持位置よりも前方に位置させることにより、駆動装置７の自重を利用してその姿勢を自然に前下がり状態とすることができる。一方、駆動装置７を水平に近い姿勢で使用する場合には、円弧状部３３の前方側に移動させて前後のバランスを図ることにより安定した作業姿勢を維持することが可能である。
【００７９】
さらに、操作ハンドル３１に、起立部３２の上端から前方側に延びる補助グリップ３４を設けた構成とした場合には、この補助グリップ３４と、操作ハンドル３１の本体部、つまり前記円弧状部３３との両方を把持することで、より安定した作業姿勢を維持できるという利点がある。
【００８０】
また、上述のように、電源コード３８に代えて、電池１７を操作ハンドル３１の起立部３２内に配設する場合には、重量物である電池１７を前記円弧状部３３の前方側に位置させて、駆動装置７を容易に前下がり状態とすることにより、除草刃１１の刃部３を土壌に突き刺す操作を軽い力で容易に行うことができる。なお、前記電池１７として非充電式のものを用いてもよいことは勿論である。
【００８１】
以上、本考案の実施形態について説明したが、本考案は前述した実施形態に何ら限定されるものではなく、本考案の要旨を逸脱しない範囲においてその構成を変更し得ることは勿論である。
【００８２】
例えば、上述の第二実施形態では、除草刃１１の柄部４に、その中間部を約９０°に捩じるように変形させた捩じり部４３を設けることにより、刃部３及び柄部４の前方部を鉛直方向に延びるように設置するとともに、柄部４の後方部を水平方向に延びるように設置した構成としているが、前記ねじり部４３を省略した構成としてもよい。
【００８３】
すなわち、上述の第一実施形態と同様に、除草刃１１の刃部３及び柄部４を一枚の平板状に形成することにより、柄部４の後方部を鉛直方向に延びるように設置し、この柄部４の後端部に設けられた取付部を、駆動装置７に設けられた摺動板２３の側面に着脱可能に固定するように構成してもよい。また、捩じり部４３の捩じり角度を９０°以外の角度に設定することも好ましい実施の形態である。
【符号の説明】
【００８４】
１，１１    除草刃
１０  除草具
３  刃部
３ａ  下辺
３ｂ  上辺
４  柄部
５  草引き歯
６  開口部
７  駆動装置
５１  歯元部
５２  歯先部
１００  除草機
Ｋ    中心線
【図１】
0003216197.tif 000003
【図２】
0003216197.tif 000004
【図３】
0003216197.tif 000005
【図４】
0003216197.tif 000006
【図５】
0003216197.tif 000007
【図６】
0003216197.tif 000008
【図７】
0003216197.tif 000009
【図８】
0003216197.tif 000010
【図９】
0003216197.tif 000011
【図１０】
0003216197.tif 000012
【図１１】
0003216197.tif 000013
【図１２】
0003216197.tif 000014
【図１３】
0003216197.tif 000015